(57)【要約】【課題】広告のアピール性を高めること。【解決手段】広告付コンテンツ作成サーバ２０により、ユーザ端末５０からのコンテンツに対して広告情報を合成し、その合成した合成情報を再生するための再生コードを生成し、その再生コードをユーザ端末５０に通知すると、再生コードがユーザ端末５０で作成されたブログ等のＷｅｂサイト７０に貼り付けられ、第三者がそのコンテンツを閲覧するとき、広告情報も併せて再生されるようにした。【選択図】図１
2007287017.tif 000002
【特許請求の範囲】
【請求項１】
広告付与サービスを行うシステムであって、
通信回線に接続されるユーザ端末と、
前記通信回線を介し前記ユーザ端末からのコンテンツに対して広告付与を行う広告付コンテンツ作成サーバとを備え、
前記広告付コンテンツ作成サーバは、
前記コンテンツと広告情報とを合成する合成手段と、
該合成した合成情報を再生するための再生コードを生成するコード生成手段と、
前記再生コードを前記ユーザ端末に通知する通知手段とを有し、
前記再生コードは、前記ユーザ端末で作成されたＷｅｂサイトに貼り付けられる
ことを特徴とする広告付コンテンツ作成支援システム。
【請求項２】
前記広告付コンテンツ作成サーバは、
前記広告情報が合成されたコンテンツが第三者によって閲覧されたかどうかを監視する広告閲覧監視手段と、
該広告閲覧監視手段による閲覧回数が記憶される広告閲覧記憶手段と、
該閲覧回数が所定数に達したか否かを判断し、所定数に達した場合は広告主からの広告費の一部がユーザに支払われるように支払い処理を制御する制御手段とを有する
ことを特徴とする請求項１に記載の広告付コンテンツ作成支援システム。
【請求項３】
前記広告情報は、前記コンテンツの前、後又はコンテンツ中のいずれか、又はいずれかの組み合わせとなるように合成されることを特徴とする請求項１又は２に記載の広告付コンテンツ作成支援システム。
【請求項４】
前記コンテンツは、前記広告付コンテンツ作成サーバ側に格納されることを特徴とする請求項１〜３のいずれか記載の広告付コンテンツ作成支援システム。
【請求項５】
前記コンテンツは、前記ユーザ端末側に格納されることを特徴とする請求項１〜３のいずれか記載の広告付コンテンツ作成支援システム。
【請求項６】
広告付与サービスを行う方法であって、
通信回線に接続されるユーザ端末からのコンテンツに対して広告付与を行う広告付コンテンツ作成サーバは、
前記コンテンツと広告情報とを合成するステップと、
該合成した合成情報を再生するための再生コードを生成するステップと、
前記再生コードを前記ユーザ端末に通知するステップとを有し、
前記再生コードは、前記ユーザ端末で作成されたＷｅｂサイトに貼り付けられる
ことを特徴とする広告付コンテンツ作成支援方法。
【請求項７】
前記広告付コンテンツ作成サーバは、
前記広告情報が合成されたコンテンツが第三者によって閲覧されたかどうかを監視するステップと、
該監視による閲覧回数が記憶されるステップと、
該閲覧回数が所定数に達したか否かを判断し、所定数に達した場合は広告主からの広告費の一部がユーザに支払われるように支払い処理を制御するステップとを有する
ことを特徴とする請求項６に記載の広告付コンテンツ作成支援方法。
【請求項８】
前記広告情報は、前記コンテンツの前、後又はコンテンツ中のいずれか、又はいずれかの組み合わせとなるように合成されることを特徴とする請求項６又は７に記載の広告付コンテンツ作成支援方法。
【請求項９】
前記コンテンツは、前記広告付コンテンツ作成サーバ側に格納されることを特徴とする請求項６〜８のいずれかに記載の広告付コンテンツ作成支援方法。
【請求項１０】
前記コンテンツは、前記ユーザ端末側に格納されることを特徴とする請求項６〜８のいずれかに記載の広告付コンテンツ作成支援方法。
【請求項１１】
広告付与サービスを行う方法を実行するためのプログラムであって、
通信回線に接続されるユーザ端末からのコンテンツに対して広告付与を行う広告付コンテンツ作成サーバは、
前記コンテンツと広告情報とを合成するステップと、
該合成した合成情報を再生するための再生コードを生成するステップと、
前記再生コードを前記ユーザ端末に通知するステップとを有し、
前記再生コードは、前記ユーザ端末で作成されたＷｅｂサイトに貼り付けられる
ことを特徴とする広告付コンテンツ作成支援プログラム。
【請求項１２】
前記広告付コンテンツ作成サーバは、
前記広告情報が合成されたコンテンツが第三者によって閲覧されたかどうかを監視するステップと、
該監視による閲覧回数が記憶されるステップと、
該閲覧回数が所定数に達したか否かを判断し、所定数に達した場合は広告主からの広告費の一部がユーザに支払われるように支払い処理を制御するステップとを有する
ことを特徴とする請求項１１に記載の広告付コンテンツ作成支援プログラム。
【請求項１３】
前記広告情報は、前記コンテンツの前、後又はコンテンツ中のいずれか、又はいずれかの組み合わせとなるように合成されることを特徴とする請求項１１又は１２に記載の広告付コンテンツ作成支援プログラム。
【請求項１４】
前記コンテンツは、前記広告付コンテンツ作成サーバ側に格納されることを特徴とする請求項１１〜１３のいずれかに記載の広告付コンテンツ作成支援プログラム。
【請求項１５】
前記コンテンツは、前記ユーザ端末側に格納されることを特徴とする請求項１１〜１３のいずれかに記載の広告付コンテンツ作成支援プログラム。
【請求項１６】
請求項１１〜１５のいずれかに記載の広告付コンテンツ作成支援プログラムが記録されることを特徴とする記録媒体。
【発明の詳細な説明】
【技術分野】
【０００１】
本発明は、動画ファイル、音声ファイル、静止画ファイル、テキストファイル等のコンテンツに広告情報を付与する広告付コンテンツ作成支援システム、広告付コンテンツ作成支援方法、広告付コンテンツ作成支援プログラム及び記録媒体に関する。
【背景技術】
【０００２】
近年、ＨＴＭＬの知識がなくても、誰でも気軽に情報発信できるＷｅｂサイトである、たとえばブログ（ウェブログの略）が広く利用されている。
【０００３】
このようなブログが広く利用されている理由には、内容の更新が極めて容易であるということがいえる。すなわち、各ブログのホームページからログインして、編集ページに入ると、記事を書き込むフィールドが用意されており、そこに好きな事柄を書き込んでいくと、その書き込んだ内容が即座に反映されるためである。
【０００４】
なお、フィールドには、たとえばタイトル、カテゴリ、記事内容、画像といったものが用意されており、カテゴリをうまく使うことで、日記、書籍、音楽等のような分類も楽に行うことができる。また、画像をうまく使うことで、写真日記のようなものも楽に作ることができる。
【０００５】
また、ブログのコミュニーケーション機能として、トラックバックがある。このトラックバックは、自分が書いた記事と同じ様な話題の記事を書いている人に、「私のブログでもあなたの記事と関連した話題を書いています」と知らせるシステムである。
【０００６】
トラックバックをすると、たとえば記事の下の方にある、「トラックバック」というコーナーに、自分で書いた記事のＵＲＬとタイトル等が表示される。このようなトラックバックを使うことで、記事の話題についてもっと知りたいというユーザが、簡単に関連記事を探すことができたり、管理人同士でコミュニケーションが取れたりする。
【０００７】
ところで、このようなブログは、ＨＴＭＬ形式のファイルであるため、たとえば記事の特定語句に対してリンクを挿入することができるばかりか、ブログに広告ページをリンクさせると広告収入を得ることができる。
【０００８】
このような広告ページをリンクさせることで、広告収入を得るようにしたものとして、特許文献１に示されているリンク生成システムがある。これは、管理者端末でウェブログサイトからのウェブログの編集用画面から得られる、商用サイトの名称、商品の名称、内容、概要、ＵＲＬ、報酬形態、報酬実績などが記述されているリンク表示画面を見ながら自身のウェブログとリンク付けさせる商用サイトを選択して選択ボタンをクリックするようにしたものである。
【特許文献１】特開２００５−３４６５７４号公報
【発明の開示】
【発明が解決しようとする課題】
【０００９】
このように、上述した特許文献１に示されているリンク生成システムでは、リンク表示画面を見ながら自身のウェブログと選択して選択ボタンをクリックするようにすることで、商用サイトのリンク付けから報酬の付与までを一元的に管理できるようになっている。
【００１０】
ところが、このようなリンク生成システムでは、単にブログ上に商用サイトをリンク付けするものである。そのため、第三者に広告を見てもらうためには、そのリンクをたどって商用サイトにジャンプしてもらう必要があり、広告のアピール性が低いという問題があった。
【００１１】
本発明は、このような状況に鑑みてなされたものであり、上記問題点を解決することができる広告付コンテンツ作成支援システム、広告付コンテンツ作成支援方法、広告付コンテンツ作成支援プログラム及び記録媒体を提供することを目的とする。
【課題を解決するための手段】
【００１２】
本発明の広告付コンテンツ作成支援システムは、広告付与サービスを行うシステムであって、通信回線に接続されるユーザ端末と、前記通信回線を介し前記ユーザ端末からのコンテンツに対して広告付与を行う広告付コンテンツ作成サーバとを備え、前記広告付コンテンツ作成サーバは、前記コンテンツと広告情報とを合成する合成手段と、該合成した合成情報を再生するための再生コードを生成するコード生成手段と、前記再生コードを前記ユーザ端末に通知する通知手段とを有し、前記再生コードは、前記ユーザ端末で作成されたＷｅｂサイトに貼り付けられることを特徴とする。
また、前記広告付コンテンツ作成サーバは、前記広告情報が合成されたコンテンツが第三者によって閲覧されたかどうかを監視する広告閲覧監視手段と、該広告閲覧監視手段による閲覧回数が記憶される広告閲覧記憶手段と、該閲覧回数が所定数に達したか否かを判断し、所定数に達した場合は広告主からの広告費の一部がユーザに支払われるように支払い処理を制御する制御手段とを有するようにすることができる。
また、前記広告情報は、前記コンテンツの前、後又はコンテンツ中のいずれか、又はいずれかの組み合わせとなるように合成されるようにすることができる。
また、前記コンテンツは、前記広告付コンテンツ作成サーバ側に格納されるようにすることができる。
また、前記コンテンツは、前記ユーザ端末側に格納されるようにすることができる。
本発明の広告付コンテンツ作成支援方法は、広告付与サービスを行う方法であって、通信回線に接続されるユーザ端末からのコンテンツに対して広告付与を行う広告付コンテンツ作成サーバは、前記コンテンツと広告情報とを合成するステップと、該合成した合成情報を再生するための再生コードを生成するステップと、前記再生コードを前記ユーザ端末に通知するステップとを有し、前記再生コードは、前記ユーザ端末で作成されたＷｅｂサイトに貼り付けられることを特徴とする。
また、前記広告付コンテンツ作成サーバは、前記広告情報が合成されたコンテンツが第三者によって閲覧されたかどうかを監視するステップと、該監視による閲覧回数が記憶されるステップと、該閲覧回数が所定数に達したか否かを判断し、所定数に達した場合は広告主からの広告費の一部がユーザに支払われるように支払い処理を制御するステップとを有するようにすることができる。
また、前記広告情報は、前記コンテンツの前、後又はコンテンツ中のいずれか、又はいずれかの組み合わせとなるように合成されるようにすることができる。
また、前記コンテンツは、前記広告付コンテンツ作成サーバ側に格納されるようにすることができる。
また、前記コンテンツは、前記ユーザ端末側に格納されるようにすることができる。
本発明の広告付コンテンツ作成支援プログラムは、広告付与サービスを行う方法を実行するためのプログラムであって、通信回線に接続されるユーザ端末からのコンテンツに対して広告付与を行う広告付コンテンツ作成サーバは、前記コンテンツと広告情報とを合成するステップと、該合成した合成情報を再生するための再生コードを生成するステップと、前記再生コードを前記ユーザ端末に通知するステップとを有し、前記再生コードは、前記ユーザ端末で作成されたＷｅｂサイトに貼り付けられることを特徴とする。
また、前記広告付コンテンツ作成サーバは、前記広告情報が合成されたコンテンツが第三者によって閲覧されたかどうかを監視するステップと、該監視による閲覧回数が記憶されるステップと、該閲覧回数が所定数に達したか否かを判断し、所定数に達した場合は広告主からの広告費の一部がユーザに支払われるように支払い処理を制御するステップとを有するようにすることができる。
また、前記広告情報は、前記コンテンツの前、後又はコンテンツ中のいずれか、又はいずれかの組み合わせとなるように合成されるようにすることができる。
また、前記コンテンツは、前記広告付コンテンツ作成サーバ側に格納されるようにすることができる。
また、前記コンテンツは、前記ユーザ端末側に格納されるようにすることができる。
本発明の記録媒体は、請求項１１〜１５のいずれかに記載の広告付コンテンツ作成支援プログラムが記録されることを特徴とする。
本発明の広告付コンテンツ作成支援システム、広告付コンテンツ作成支援方法、広告付コンテンツ作成支援プログラム及び記録媒体では、広告付コンテンツ作成サーバにより、ユーザ端末からのコンテンツに対して広告情報を合成し、その合成した合成情報を再生するための再生コードを生成し、その再生コードをユーザ端末に通知すると、再生コードがユーザ端末で作成されたＷｅｂサイトに貼り付けられることで、第三者がそのコンテンツを閲覧するとき、広告情報も併せて再生される。
【発明の効果】
【００１３】
本発明の広告付コンテンツ作成支援システム、広告付コンテンツ作成支援方法、広告付コンテンツ作成支援プログラム及び記録媒体によれば、広告付コンテンツ作成サーバにより、ユーザ端末からのコンテンツに対して広告情報を合成し、その合成した合成情報を再生するための再生コードを生成し、その再生コードをユーザ端末に通知すると、再生コードがユーザ端末で作成されたＷｅｂサイトに貼り付けられ、第三者がそのコンテンツを閲覧するとき、広告情報も併せて再生されるようにしたので、広告のアピール性を高めることができる。
【発明を実施するための最良の形態】
【００１４】
本実施形態では、広告付コンテンツ作成サーバにより、ユーザ端末からのコンテンツに対して広告情報を合成し、その合成した合成情報を再生するための再生コードを生成し、その再生コードをユーザ端末に通知すると、再生コードがユーザ端末で作成されたＷｅｂサイトに貼り付けられることで、第三者がそのコンテンツを閲覧するとき、広告情報も併せて再生されるようにし、広告のアピール性を高めるようにした。
【実施例】
【００１５】
以下、本発明の実施例の詳細について説明する。
【００１６】
図１は、本発明の広告付コンテンツ作成支援システムの一実施例を示す図である。同図に示すように、広告付コンテンツ作成支援システムは、広告付与サービスシステム１０及びユーザ端末５０を備えている。これら広告付与サービスシステム１０とユーザ端末５０とは、通信回線としてのインターネット６０を介して相互に通信できるように接続されている。なお、通信回線としては、インターネット６０に限らず、専用回線等の他の回線であってもよい。
【００１７】
広告付与サービスシステム１０は、広告付コンテンツ作成サーバ２０、データベース３０、サービス側端末４０を備えている。
【００１８】
広告付コンテンツ作成サーバ２０は、ユーザが作成した動画ファイル、音声ファイル、静止画ファイル、テキストファイル等のコンテンツに広告情報を合成し、その合成情報を再生するためのマルチメディア用の再生コードを生成してユーザ端末５０に通知する機能を有している。なお、広告付コンテンツ作成サーバ２０の詳細については後述する。
【００１９】
データベース３０には、少なくとも、様々な広告情報と、ユーザ情報とが登録される。ユーザ情報には、少なくとも、ユーザを識別するためのユーザＩＤと、ユーザからの動画ファイル、音声ファイル、静止画ファイル、テキストファイル等のコンテンツと、そのコンテンツを識別するためのコンテンツＩＤと、ユーザのメールアドレスとが含まれている。
【００２０】
ここで、ユーザのメールアドレスは、口座間のオンライン送金を可能にしたシステムであるペイパル（ＰＡＹＰＡＬ）に利用することができる。これは、ペイパル口座を開設すれば、銀行のように口座番号や名義人等を指定しなくても、メールアドレスだけでお金のやり取りができるようにしたものである。なお、ペイパルは、送金業務を行うだけであり、銀行やネットバンクとは異なるものである。
【００２１】
サービス側端末４０は、たとえば広告付与サービスシステム１０のシステム変更やユーザ端末５０からの問い合わせに対する回答等を行う場合に操作されるものである。サービス側端末４０としては、ディスクトップパソコン、ノートパソコン等を用いることができる。
【００２２】
ユーザ端末５０は、少なくともインターネット６０を介して広告付与サービスシステム１０と通信できる機能があればよく、ディスクトップパソコン、ノートパソコン、携帯電話、ＰＤＡ等を用いることができる。
【００２３】
また、ユーザ端末５０の表示部５１には、たとえば図２に示すようなブログ等のＷｅｂサイト７０が表示される。このＷｅｂサイト７０には、たとえばメニュー項目欄７１、動画ファイル、音声ファイル、静止画ファイル、テキストファイル等のコンテンツ貼付欄７３、ＲＳＳボタン７４等が表示される。
【００２４】
ここで、メニュー項目欄７１は、ユーザによってカスタマイズされるようになっており、たとえば自己のＷｅｂサイト７０の索引等で構成することができる。
【００２５】
また、記事挿入欄７２には、テキスト文字が表示される。なお、記事挿入欄７２では、テキスト文字に限らず、動画や静止画等の表示も可能である。さらには、音声ファイルを示すアイコンの表示も可能である。
【００２６】
また、コンテンツ貼付欄７３には、広告付コンテンツ作成サーバ２０側で広告情報が合成された動画ファイル、音声ファイル、静止画ファイル、テキストファイル等のコンテンツが貼り付けられる。また、そのコンテンツは、マルチメディア用の再生コードで構成されている。なお、マルチメディアは、Ｆｌａｓｈ、Ｑｕｉｃｋ  Ｔｉｍｅ等のプラグインによって再生される。
【００２７】
ＲＳＳボタン７４は、ＲＳＳフィードやポッドキャスティング等の機能を実行させる際に操作されるボタンである。ここで、ＲＳＳとは「ｒｉｃｈ  ｓｉｔｅ  ｓｕｍｍａｒｙ」又は「ｒｅａｌｌｙ  ｓｉｍｐｌｅ  ｓｙｎｄｉｃａｔｉｏｎ」の略といわれている。つまり、Ｗｅｂページの要約データのフォーマットのことである。
【００２８】
最近のブログサービスでは、ユーザが記事を投稿すると直ちにその記事まで含めたブログサイトの要約データが作成され、だれでもダウンロードできるようになっている。このファイルは、「ＲＳＳファイル」と呼ばれている。
【００２９】
ＲＳＳは、ＸＭＬ（ｅｘｔｅｎｓｉｂｌｅ  ｍａｒｋｕｐ  ｌａｎｇｕａｇｅ）の一形式である。ＸＭＬを使うことで、ソフトウエアが自動で処理できる形式になっており、他のユーザのアプリケーションがブログサーバにアクセスしてＲＳＳファイルを取得すれば、最近更新された記事の内容が簡単に分かるようになっている。
【００３０】
ここで、ＲＳＳファイルは、たとえばＲＳＳリーダと呼ばれる専用ソフトで読み込みが行われる。すなわち、ユーザが気に入ったブログのページ内に「ＸＭＬ」等と表示されているアイコンをクリックして、表示された画面のＵＲＬをＲＳＳリーダに登録する。このように登録しておくと、ＲＳＳリーダが定期的にブログ・サーバにアクセスし、ＲＳＳファイルを取得する。
【００３１】
そして、以前のＲＳＳファイルと比較され、更新された記事が探し出される。ユーザがＲＳＳリーダの画面を開くと、更新された記事が時間順に表示され、気になった記事をクリックすればその内容が表示される。
【００３２】
また、ＲＳＳには、ポッドキャスティングという機能も含まれている。ポッドキャスティングは、専用の受信ソフト（ｉＴｕｎｅｓ）を使い、音声ファイルを一度自分のパソコン等にダウンロードしておいて、いつでも好きな時間に再生して、楽しむことができるようにしたものである。
【００３３】
図３は、広告付コンテンツ作成サーバ２０の詳細を説明するための図である。同図に示すように、広告付コンテンツ作成サーバ２０は、インタフェース部２１、受付部２２、広告閲覧監視部２３、通知部２４、データ合成部２５、再生コード生成部２６、広告閲覧記憶部２７、データ書込部２８ａ、データ読込部２８ｂ、制御部２９を備えている。
【００３４】
インタフェース部２１は、インターネット６０を介してユーザ端末５０との間でのデータの転送を受け持つ。受付部２２は、たとえばユーザ端末５０からの動画ファイル、音声ファイル、静止画ファイル、テキストファイル等のコンテンツを受け付ける。
【００３５】
広告閲覧監視部２３は、図２で説明したブログ等のＷｅｂサイト７０のコンテンツ貼付欄７３に貼り付けられている広告情報が合成されたコンテンツが第三者によって閲覧されたかどうかを監視し、閲覧された場合は広告閲覧記憶部２７に閲覧回数を記憶させる。
【００３６】
通知部２４は、上述した動画ファイル、音声ファイル、静止画ファイル、テキストファイル等のコンテンツに広告情報を合成した合成情報を再生するためのマルチメディア用の再生コードをユーザ端末５０に通知する。
【００３７】
データ合成部２５は、上述した動画ファイル、音声ファイル、静止画ファイル、テキストファイル等のコンテンツに広告情報を合成し、合成情報を得る。合成情報としては、たとえばビデオファイル等である。ここで、広告情報は、動画ファイル、音声ファイル、静止画ファイル、テキストファイル等のコンテンツの前であってもよいし、後であってもよいし、前及び後であってもよいし、コンテンツ中にあってもよい。さらには、コンテンツの前及び後と、コンテンツ中にあってもよい。
【００３８】
再生コード生成部２６は、データ合成部２５によって合成された合成情報を再生するための再生コードを生成する。
【００３９】
広告閲覧記憶部２７には、広告閲覧監視部２３によって監視された広告の閲覧回数が記憶される。なお、広告の閲覧回数は、少なくとも、上述したコンテンツＩＤに関連づけられて記憶される。
【００４０】
データ書込部２８ａは、データベース３０に対して、様々な広告情報と、ユーザを識別するためのユーザＩＤ、ユーザからの動画ファイル、音声ファイル、静止画ファイル、テキストファイル等のコンテンツ、そのコンテンツを識別するためのコンテンツＩＤ、ユーザのメールアドレス等のユーザ情報とを書き込む。
【００４１】
データ読込部２８ｂは、データベース３０から、たとえばデータ合成部２５によって合成される広告情報とコンテンツとを読み込む。
【００４２】
制御部２９は、所定の制御プログラムに従い、各部の動作を制御する。ここで、制御部２９による主な制御としては、データ合成部２５に対して、上述した動画ファイル、音声ファイル、静止画ファイル、テキストファイル等のコンテンツに広告情報を合成させることである。また、制御部２９による主な制御としては、再生コード生成部２６に対し、データ合成部２５によって合成された合成情報を再生するための再生コードを生成させることである。また、制御部２９による主な制御としては、広告閲覧記憶部２７に、広告閲覧監視部２３によって監視された広告の閲覧回数を記憶させることである。
【００４３】
次に、広告付コンテンツ作成支援方法について説明する。なお、以下においては、広告情報を合成するコンテンツを動画ファイルとした場合で説明するものとする。また、広告付与サービスシステム１０側のデータベース３０には、すでに様々な広告情報が登録されているものとする。
【００４４】
まず、図４に示すように、ユーザが広告付コンテンツ作成のサービスを利用するに際し、ユーザ情報を登録する必要がある。この場合、ユーザ端末５０により広告付与サービスシステム１０側の広告付コンテンツ作成サーバ２０が提供するＷｅｂサイトの所定のフォームページにログインし、所定のユーザ情報を入力する（ステップＳ１）。
【００４５】
ここで、ユーザ情報には、少なくとも、ユーザを識別するためのユーザＩＤと、ユーザのメールアドレスとがあればよい。なお、ユーザＩＤについては、広告付コンテンツ作成サーバ２０側で自動的に割り振って発行するか、あるいはユーザの希望するＩＤを受け付け、既に発行済みのＩＤと重複しない場合にそのＩＤを発行するようにすればよい。また、ユーザＩＤにおいては、メールアドレスをそのまま用いるようにしてもよい。
【００４６】
また、ユーザのメールアドレスについては、ユーザが作成した動画ファイルに広告情報を合成した合成情報を再生するためのマルチメディア用の再生コードを通知する場合や、上述したペイパル（ＰＡＹＰＡＬ）を利用する場合に用いられる。
【００４７】
このようにしてユーザ情報の登録が完了した後、いずれかのユーザ端末５０からコンテンツである動画ファイルが送信され、その動画ファイルが広告付コンテンツ作成サーバ２０の受付部２２によって受け付けられると（ステップＳ２）、制御部２９によりデータ書込部２８ａが制御され、受付部２２によって受け付けられた動画ファイルがデータベース３０に登録される（ステップＳ３）。ここで、ユーザ端末５０から動画ファイルは、ＭＰＥＧ−４やＷＭＶ等によってデータ圧縮されている。
【００４８】
また、ユーザ端末５０からの動画ファイルについて、公序良俗に係る内容のものが含まれないようにするためには、広告付与サービスシステム１０のサービス側端末４０によってユーザ端末５０から送信される動画ファイルを逐次監視し、公序良俗に係る内容のものについては削除するようにすればよい。この場合、公序良俗に係る内容の動画ファイルを送信したユーザ端末５０に、公序良俗に係る内容のものであるため削除した旨を通知すればよい。
【００４９】
次いで、制御部２９により、データ読込部２８ｂが制御され、データベース３０から広告情報とコンテンツである動画ファイルとが読み込まれ（ステップＳ４）、読み込まれた広告情報と動画ファイルとがデータ合成部２５に渡される。
【００５０】
そして、データ合成部２５により、その広告情報と動画ファイルとが合成され（ステップＳ５）、合成情報が得られる（ステップＳ６）。ここで、広告情報は、上述したように、動画ファイルの前であってもよいし、後であってもよいし、前及び後であってもよいし、動画ファイル中にあってもよい。
【００５１】
また、ここで得られる合成情報としては、たとえばビデオファイル等である。合成情報が得られると、制御部２９により再生コード生成部２６が制御され、データ合成部２５によって合成された合成情報を再生するためのマルチメディア用の再生コードが生成される（ステップＳ７）。
【００５２】
再生コードが生成されると、制御部２９により通知部２４が制御され、動画ファイルを送信したユーザ端末５０にその再生コードが通知される（ステップＳ８）。
【００５３】
そして、再生コードを受け取ったユーザは、その再生コードを図２で説明したブログ等のＷｅｂサイト７０のコンテンツ貼付欄７３等に貼り付ける（ステップＳ９）。このマルチメディア用の再生コードは、Ｆｌａｓｈ、Ｑｕｉｃｋ  Ｔｉｍｅ等のプラグインによって再生されるものであり、インターネット６０に接続可能な端末を保有している第三者によって閲覧可能なようにインターネット６０上に公開されることになる。
【００５４】
このようにして、ユーザが受け取った再生コードを自己のブログ等のＷｅｂサイト７０のコンテンツ貼付欄７３等に貼り付けると、広告付コンテンツ作成サーバ２０の広告閲覧監視部２３により、広告情報が合成されたコンテンツが第三者によって閲覧されたかどうかが監視される（ステップＳ１０）。
【００５５】
そして、そのコンテンツが閲覧された場合は、広告付コンテンツ作成サーバ２０の広告閲覧記憶部２７に閲覧回数が記憶される（ステップＳ１１）。なお、広告の閲覧回数は、少なくとも、上述したコンテンツＩＤに関連づけられて記憶されるため、制御部２９により、そのコンテンツＩＤ毎の閲覧回数が把握される。
【００５６】
ここで、制御部２９により、閲覧回数が所定数に達したと判断されると（ステップＳ１２）、広告主からの広告費の一部がユーザに支払われるための支払い処理が行われる（ステップＳ１４）。広告費の支払いに関しては、たとえばユーザのメールアドレスを用いた、口座間のオンライン送金を可能にしたシステムであるペイパル（ＰＡＹＰＡＬ）を利用してもよい。なお、ペイパル（ＰＡＹＰＡＬ）を利用しない場合は、予めユーザからユーザ情報として口座番号等を受け付けるようにしておけばよい。
【００５７】
このように、本実施例では、広告付コンテンツ作成サーバ２０により、ユーザ端末５０からのコンテンツに対して広告情報を合成し、その合成した合成情報を再生するための再生コードを生成し、その再生コードをユーザ端末５０に通知すると、再生コードがユーザ端末５０で作成されたブログ等のＷｅｂサイト７０に貼り付けられ、第三者がそのコンテンツを閲覧するとき、広告情報も併せて再生されるようにしたので、広告のアピール性を高めることができる。
【００５８】
また、本実施例では、広告付コンテンツ作成サーバ２０の広告閲覧監視部２３により、広告情報が合成されたコンテンツが第三者によって閲覧されたかどうかが監視され、そのコンテンツが閲覧された場合は、広告付コンテンツ作成サーバ２０の広告閲覧記憶部２７に閲覧回数が記憶され、制御部２９により、閲覧回数が所定数に達したと判断されると、広告主からの広告費の一部がユーザに支払われるための支払い処理が行われるようにした。
【００５９】
これにより、広告付与サービス側では、ユーザからのコンテンツに対する広告付与が増えることで、広告収入の増大を見込むことができる。
【００６０】
一方、ユーザ側にとっては、広告情報が合成されたコンテンツが第三者によって閲覧され、その閲覧回数が所定数に達すれば広告費の一部を受け取ることができるため、趣味と実益を兼ねることができる。
【００６１】
なお、広告情報が合成された後の動画ファイル、音声ファイル、静止画ファイル、テキストファイル等のコンテンツについては、広告付コンテンツ作成サーバ２０側に格納されるようにしてもよいし、ユーザ端末５０側で利用しているＷｅｂサーバに格納されるようにしてもよい。
【００６２】
すなわち、広告情報が合成された後の動画ファイル、音声ファイル、静止画ファイル、テキストファイル等のコンテンツが広告付コンテンツ作成サーバ２０側に格納されるようにした場合は、ユーザ端末５０側の負荷を軽減させることができる。
【００６３】
一方、広告情報が合成された後の動画ファイル、音声ファイル、静止画ファイル、テキストファイル等のコンテンツがユーザ端末５０側に格納されるようにした場合は、広告付コンテンツ作成サーバ２０側の負荷を軽減させることができる。
【００６４】
また、ブログ等のＷｅｂサイト７０については、広告付コンテンツ作成サーバ２０が提供するものであってもよいし、他のＷｅｂサイトが提供するものであってもよいし、ユーザ自身のＷｅｂサイトであってもよい。
【図面の簡単な説明】
【００６５】
【図１】本発明の広告付コンテンツ作成支援システムの一実施例を示す図である。
【図２】図１のユーザ端末の表示部に表示されるブログ等のＷｅｂサイトの概要を説明するための図である。
【図３】図１の広告付コンテンツ作成サーバの詳細を説明するための図である。
【図４】図１の広告付コンテンツ作成支援システムにおける広告付コンテンツ作成支援方法について説明するためのフローチャートである。
【符号の説明】
【００６６】
１０  広告付与サービスシステム
２０  広告付コンテンツ作成サーバ
２１  インタフェース部
２２  受付部
２３  広告閲覧監視部（広告閲覧監視手段）
２４  通知部（通知手段）
２５  データ合成部（合成手段）
２６  再生コード生成部（コード生成手段）
２７  広告閲覧記憶部（広告閲覧記憶手段）
２８ａ  データ書込部
２８ｂ  データ読込部
２９  制御部（制御手段）
３０  データベース
４０  サービス側端末
５０  ユーザ端末
５１  表示部
６０  インターネット
７０  Ｗｅｂサイト
７１  メニュー項目欄
７２  記事挿入欄
７３  コンテンツ貼付欄
７４  ＲＳＳボタン
【図１】
2007287017.tif 000003
【図２】
2007287017.tif 000004
【図３】
2007287017.tif 000005
【図４】
2007287017.tif 000006